【手続補正書】
【提出日】平成20年1月25日(2008.1.25)
【手続補正１】
【補正対象書類名】明細書
【補正対象項目名】特許請求の範囲
【補正方法】変更
【補正の内容】
【特許請求の範囲】
【請求項１】  一体化された、複合糸および第２の糸を含むことを特徴とする合成ポリマー糸。
【請求項２】  請求項１に記載の合成ポリマー糸からなることを特徴とするファブリック。
【請求項３】  請求項２に記載のファブリックからなることを特徴とする衣類。
【請求項４】  複合フィラメントおよび第２の糸のフィラメントを含む合成ポリマー糸であって、前記複合フィラメントおよび前記第２の糸のフィラメントが一体化されて単一の合成ポリマー糸を形成することを特徴とする合成ポリマー糸。
【請求項５】  複合糸を第２の糸と混ぜ合わせることを含み、前記複合糸が互いに異なる収縮性を有する少なくとも第１の成分および第２の成分を含むことを特徴とする合成ポリマー糸の製造方法。
【請求項６】  請求項５に記載の方法に従って製造されることを特徴とする製品。
【請求項７】  複合フィラメントを第２のフィラメントと混ぜ合わせることおよび混ぜ合わされたフィラメントから合成ポリマー糸を形成することを含むことを特徴とする合成ポリマー糸の製造方法。
【請求項８】  複合フィラメント糸および第２のフィラメント糸を含む複合効果糸であって、複合フィラメント糸の成分が異なる収縮性を有し、また複合糸に嵩高効果を生じるのに十分な量でそれぞれが存在することを特徴とする複合効果糸。
【請求項９】  複合糸を第２の糸と混ぜ合わせることを含み、前記複合糸が互いに異なる収縮性を有する第１の成分および第２の成分を含み、またそれぞれの成分が複合糸に嵩高効果を生じるのに十分な量で存在することを特徴とする複合効果糸の製造方法。
【請求項１０】  請求項８に記載の糸を含むことを特徴とする編物。
【手続補正２】
【補正対象書類名】明細書
【補正対象項目名】００８６
【補正方法】変更
【補正の内容】
【００８６】
当分野の技術者は、本明細書における前記の本発明の教示から利益を得て、それに多くの変更を加えることが可能である。これらの変更は、添付の特許請求の範囲に記載される本発明の範囲内に含まれると解釈されるべきである。
本出願は、特許請求の範囲の欄に記載の発明を含め、以下の発明を包含する。
（１）  一体化された、複合糸および第２の糸を含むことを特徴とする合成ポリマー糸。
（２）  複合糸の第１の成分および第２の成分が、それぞれ個別にポリアミド、ポリオレフィン、ポリエステル、ビスコースポリマー、あるいはアセテートのホモポリマー、コポリマー、ターポリマー、およびこれらの混合物からなる群から形成されることを特徴とする（１）に記載の合成ポリマー糸。
（３）  前記第１または第２の成分が、ナイロン６６、ナイロン６、ナイロン７、ナイロン１０、ナイロン１２、ナイロン４６、ナイロン６１０、ナイロン６１２、ナイロン１２１２、あるいはこれらの何らかの組合せから選択されるポリアミドから形成されることを特徴とする（２）に記載の合成ポリマー糸。
（４）  前記ポリアミドが付加的なジカルボン酸あるいはジアミンと共重合されていることを特徴とする（３）に記載の合成ポリマー糸。
（５）  前記ポリアミドがアジピン酸、ヘキサメチレンジアミン、およびポリ−２−メチルペンタメチレンアジポアミドから形成されることを特徴とする（４）に記載の合成ポリマー糸。
（６）  前記複合糸が少なくとも第１の成分および第２の成分を含み、前記第１の成分および前記第２の成分が異なる相対粘度を有することを特徴とする（１）に記載の合成ポリマー糸。
（７）  前記第２の糸が、ポリアミド、ポリオレフィン、ポリエステル、ビスコースポリマー、アセテート、コットン、ウール、シルク、およびこれらの組合せからなる群から選択されるポリマーのホモポリマー、コポリマー、ターポリマー、およびこれらの組合せから選択されることを特徴とする（１）に記載の合成ポリマー糸。
（８）  前記第２の糸が非弾性的であることを特徴とする（７）に記載の合成ポリマー糸。
（９）  前記第２の糸が溶融紡糸できることを特徴とする（７）に記載の合成ポリマー糸。
（１０）  前記第２の糸が、ナイロン６６、ナイロン６、ナイロン７、ナイロン１０、ナイロン１２、ナイロン４６、ナイロン６１０、ナイロン６１２、ナイロン１２１２、およびこれらの組合せからなる群から選択されることを特徴とする（７）に記載の合成ポリマー糸。
（１１）  前記複合糸がポリ−２−メチルペンタメチレンアジポアミドと共重合された、ナイロン６６を形成するために用いられるモノマーからなる第１の成分およびナイロン６６からなる第２の成分を含み、さらに前記第２の糸がナイロン６６のホモポリマーを含むことを特徴とする（１）に記載の合成ポリマー糸。
（１２）  （１）に記載の合成ポリマー糸からなることを特徴とするファブリック。
（１３）  （１１）に記載の合成ポリマー糸からなることを特徴とするファブリック。
（１４）  （１２）に記載のファブリックからなることを特徴とする衣類。
（１５）  （１３）に記載のファブリックからなることを特徴とする衣類。
（１６）  複合フィラメントおよび第２の糸のフィラメントを含む合成ポリマー糸であって、前記複合フィラメントおよび前記第２の糸のフィラメントが一体化されて単一の合成ポリマー糸を形成することを特徴とする合成ポリマー糸。
（１７）  複合糸を第２の糸と混ぜ合わせることを含み、前記複合糸が互いに異なる収縮性を有する少なくとも第１の成分および第２の成分を含むことを特徴とする合成ポリマー糸の製造方法。
（１８）  前記第１の成分および前記第２の成分がそれぞれ個別に、ポリアミド、ポリオレフィン、ポリエステル、ビスコースポリマー、およびアセテートからなる群から選択されるポリマーのホモポリマー、コポリマー、ターポリマー、およびこれらの組合せからなる群から選択されることを特徴とする（１７）に記載の方法。
（１９）  （１７）に記載の方法に従って製造されることを特徴とする製品。
（２０）  複合フィラメントを第２のフィラメントと混ぜ合わせることおよび混ぜ合わされたフィラメントから合成ポリマー糸を形成することを含むことを特徴とする合成ポリマー糸の製造方法。
（２１）  複合フィラメント糸および第２のフィラメント糸を含む複合効果糸であって、複合フィラメント糸の成分が異なる収縮性を有し、また複合糸に嵩高効果を生じるのに十分な量でそれぞれが存在することを特徴とする複合効果糸。
（２２）  複合糸を第２の糸と混ぜ合わせることを含み、前記複合糸が互いに異なる収縮性を有する第１の成分および第２の成分を含み、またそれぞれの成分が複合糸に嵩高効果を生じるのに十分な量で存在することを特徴とする複合効果糸の製造方法。
（２３）  複合糸および第２の糸がそれぞれ連続糸であり、複合糸の第１の成分がポリ（エチレンテレフタレート）およびそれらのコポリマーからなる群から選択され、また複合糸の第２の成分がポリ（トリメチレンテレフタレート）およびポリ（テトラメチレンテレフタレート）からなる群から選択されることを特徴とする（２１）に記載の糸。
（２４）  第２の糸がポリ（エチレンテレフタレート）およびそのコポリマーからなる群から選択される１種または複数のポリマーからなることを特徴とする（２１）に記載の糸。
（２５）  第２の糸がナイロン６６、ナイロン６、およびそれらのポリマーからなる群から選択される１種または複数のポリマーからなることを特徴とする（２１）に記載の糸。
（２６）  複合糸の第２の成分がポリ（トリメチレンテレフタレート）であることを特徴とする（２４）に記載の糸。
（２７）  （２１）に記載の糸を含むことを特徴とする編物。
（２８）  編物構造を有することを特徴とする（１２）に記載のファブリック。